(57)【要約】【課題】液体の吐出量の均一化を図る。【解決手段】基準信号を生成する基準信号生成部と、液体を吐出する複数のノズルと、複数の前記ノズルにそれぞれ対応して設けられ、前記基準信号を増幅して得られる駆動信号に基づいて、前記ノズルから液体を吐出させるための動作を行う複数の素子と、或るノズルに対して設けられ、前記基準信号を増幅する第１増幅回路と、別のノズルに対して設けられ、前記基準信号を増幅する第２増幅回路と、を備え、前記第１増幅回路の増幅率と前記第２増幅回路の増幅率が異なる。【選択図】図５
2009196120.tif 000002
【特許請求の範囲】
【請求項１】
基準信号を生成する基準信号生成部と、
液体を吐出する複数のノズルと、
複数の前記ノズルにそれぞれ対応して設けられ、前記基準信号を増幅して得られる駆動信号に基づいて、前記ノズルから液体を吐出させるための動作を行う複数の素子と、
或るノズルに対して設けられ、前記基準信号を増幅する第１増幅回路と、
別のノズルに対して設けられ、前記基準信号を増幅する第２増幅回路と、
を備え、
前記第１増幅回路の増幅率と前記第２増幅回路の増幅率が異なる、
ことを特徴とする液体吐出装置。
【請求項２】
請求項１に記載の液体吐出装置であって、
前記第１増幅回路及び前記第２増幅回路は、
帰還抵抗を有するオペアンプと、
前記帰還抵抗の抵抗値を設定するゲイン調整部と、
をそれぞれ有し、
前記第１増幅回路の前記帰還抵抗の抵抗値と、前記第２増幅回路の前記帰還抵抗の抵抗値の値が異なることを特徴とする液体吐出装置。
【請求項３】
請求項２に記載の液体吐出装置であって、
前記帰還抵抗は、前記オペアンプの出力と入力との間に複数の抵抗が直列接続されて形成されたものであり、
前記ゲイン調整部は、一方が前記オペアンプの出力と接続された切替スイッチを有し、前記切替スイッチの他方を、複数の前記抵抗の各接続点の何れかに接続させることによって、前記帰還抵抗の抵抗値を設定する、
ことを特徴とする液体吐出装置。
【請求項４】
請求項３に記載の液体吐出装置であって、
各ノズルに対応したデジタルデータが格納される記憶部を有し、
前記ゲイン調整部は、前記記憶部から読み出された前記デジタルデータの値に応じて、前記切替スイッチの接続を切り替える、
ことを特徴とする液体吐出装置。
【請求項５】
請求項２に記載の液体吐出装置であって、
前記帰還抵抗は、前記オペアンプの出力と入力との間に複数の抵抗が直列接続されて形成されたものであり、
前記ゲイン調整部は、一端が前記オペアンプの出力に接続され、他端が複数の前記抵抗の接続点に接続されたヒューズを有し、前記ヒューズが切断されることに応じて、前記帰還抵抗の抵抗値を設定する、
ことを特徴とする液体吐出装置。
【請求項６】
請求項５に記載の液体吐出装置であって、
前記ヒューズは、当該ヒューズの前記他端を接地させた状態で、前記オペアンプの出力を上昇させることによって切断される、
ことを特徴とする液体吐出装置。
【請求項７】
液体を吐出する複数のノズルと、複数の前記ノズルにそれぞれ対応して設けられ、基準信号を増幅して得られる駆動信号に基づいて、前記ノズルから液体を吐出させるための動作を行う複数の素子と、を備えた液体吐出装置の液体吐出方法であって、
前記基準信号を生成する基準信号生成ステップと、
或るノズルに対して、前記基準信号を増幅する第１増幅ステップと、
別のノズルに対して、前記基準信号を増幅する第２増幅ステップと、
を有し、
前記第１増幅ステップの増幅率と前記第２増幅ステップの増幅率が異なる
ことを特徴とする液体吐出方法。
【発明の詳細な説明】
【技術分野】
【０００１】
本発明は、液体吐出装置、及び液体吐出方法に関する。
【背景技術】
【０００２】
媒体（紙、布、ＯＨＰ用紙など）に液体（例えばインク）を吐出する液体吐出装置（例えばプリンタ）がある。このような液体吐出装置では、駆動信号に基づいて素子（例えばピエゾ素子）が駆動されてヘッドの各ノズルから液体が吐出される。なお、駆動信号は、所定波形の基準信号を増幅（電圧増幅、電流増幅）することによって得られる（例えば特許文献１参照）。
【特許文献１】特開２０００−３４３６９０号公報
【発明の開示】
【発明が解決しようとする課題】
【０００３】
製造ばらつきなどにより、各ノズルにおける液体の吐出特性が同じでない場合がある。例えば、同一の駆動信号に対して、各ノズルから吐出される液体の量が異なっていることがある。  
そこで、本発明は、各ノズルからの液体の吐出量の均一化を図ることを目的とする。
【課題を解決するための手段】
【０００４】
上記目的を達成するための主たる発明は、基準信号を生成する基準信号生成部と、液体を吐出する複数のノズルと、複数の前記ノズルにそれぞれ対応して設けられ、前記基準信号を増幅して得られる駆動信号に基づいて、前記ノズルから液体を吐出させるための動作を行う複数の素子と、或るノズルに対して設けられ、前記基準信号を増幅する第１増幅回路と、別のノズルに対して設けられ、前記基準信号を増幅する第２増幅回路と、を備え、前記第１増幅回路の増幅率と前記第２増幅回路の増幅率が異なる、ことを特徴とする液体吐出装置である。
【０００５】
本発明の他の特徴については、本明細書及び添付図面の記載により明らかにする。
【発明を実施するための最良の形態】
【０００６】
＝＝＝開示の概要＝＝＝
本明細書及び添付図面の記載により、少なくとも、以下の事項が明らかとなる。
【０００７】
すなわち、基準信号を生成する基準信号生成部と、液体を吐出する複数のノズルと、複数の前記ノズルにそれぞれ対応して設けられ、前記基準信号を増幅して得られる駆動信号に基づいて、前記ノズルから液体を吐出させるための動作を行う複数の素子と、或るノズルに対して設けられ、前記基準信号を増幅する第１増幅回路と、別のノズルに対して設けられ、前記基準信号を増幅する第２増幅回路と、を備え、前記第１増幅回路の増幅率と前記第２増幅回路の増幅率が異なる、ことを特徴とする液体吐出装置が明らかとなる。このような液体吐出装置によれば、各ノズルからの液体の吐出量の均一化を図ることができる。
【０００８】
かかる液体吐出装置であって、前記第１増幅回路及び前記第２増幅回路は、帰還抵抗を有するオペアンプと、前記帰還抵抗の抵抗値を設定するゲイン調整部と、をそれぞれ有し、前記第１増幅回路の前記帰還抵抗の抵抗値と、前記第２増幅回路の前記帰還抵抗の抵抗値の値が異なることが望ましい。このような液体吐出装置によれば、帰還抵抗の抵抗値の設定によってオペアンプの増幅率が定まるので、ノズル毎の液体の吐出量を容易に調整することができる。
【０００９】
かかる液体吐出装置であって、前記帰還抵抗は、前記オペアンプの出力と入力との間に複数の抵抗が直列接続されて形成されたものであり、前記ゲイン調整部は、一方が前記オペアンプの出力と接続された切替スイッチを有し、前記切替スイッチの他方を、複数の前記抵抗の各接続点の何れかに接続させることによって、前記帰還抵抗の抵抗値を設定するようにしてもよい。このような液体吐出装置によれば、切替スイッチの接続を制御することで、各オペアンプの増幅率をノズルの特性に応じた値に調整することができる。
【００１０】
かかる液体吐出装置であって、各ノズルに対応したデジタルデータが格納される記憶部を有し、前記ゲイン調整部は、前記記憶部から読み出された前記デジタルデータの値に応じて、前記切替スイッチの接続を切り替える、ことが望ましい。このような液体吐出装置によれば、各ノズルに対応した増幅率に、正確に設定することができる。
【００１１】
かかる液体吐出装置であって、前記帰還抵抗は、前記オペアンプの出力と入力との間に複数の抵抗が直列接続されて形成されたものであり、前記ゲイン調整部は、一端が前記オペアンプの出力に接続され、他端が複数の前記抵抗の接続点に接続されたヒューズを有し、前記ヒューズが切断されることに応じて、前記帰還抵抗の抵抗値を設定するようにしてもよい。このような液体吐出装置によれば、ヒューズを切断することによって、各オペアンプの増幅率をノズルの特性に応じた値に調整することができる。
【００１２】
かかる液体吐出装置であって、前記ヒューズは、当該ヒューズの前記他端を接地させた状態で、前記オペアンプの出力を上昇させることによって切断される、ことが望ましい。このような液体吐出装置によれば、正確に且つ容易に目的のヒューズを切断することができる。
【００１３】
また、液体を吐出する複数のノズルと、複数の前記ノズルにそれぞれ対応して設けられ、基準信号を増幅して得られる駆動信号に基づいて、前記ノズルから液体を吐出させるための動作を行う複数の素子と、を備えた液体吐出装置の液体吐出方法であって、前記基準信号を生成する基準信号生成ステップと、或るノズルに対して、前記基準信号を増幅する第１増幅ステップと、別のノズルに対して、前記基準信号を増幅する第２増幅ステップと、を有し、前記第１増幅ステップの増幅率と前記第２増幅ステップの増幅率が異なることを特徴とする液体吐出方法が明らかとなる。
【００１４】
以下、本発明の実施形態を液体吐出装置の一つであるプリンタを用いて説明する。
【００１５】
＝＝＝第１実施形態のプリンタの構成について＝＝＝
図１は、第１実施形態のプリンタの全体構成を説明するブロック図である。また、図２Ａは、プリンタの全体構成の概略図である。また、図２Ｂは、プリンタの全体構成の横断面図である。以下、図面を参照しつつプリンタの基本的な構成について説明する。
【００１６】
プリンタ１は、搬送ユニット２０、キャリッジユニット３０、ヘッドユニット４０、検出器群５０、及び本体基板６０を有する。外部装置であるコンピュータ１１０から印刷データを受信したプリンタ１は、本体基板６０によって各ユニット（搬送ユニット２０、キャリッジユニット３０、ヘッドユニット４０）を制御する。本体基板６０は、コンピュータ１１０から受信した印刷データに基づいて、各ユニットを制御し、紙Ｓに画像を印刷する。プリンタ１内の状況は検出器群５０によって監視されており、検出器群５０は、検出結果を本体基板６０に出力する。本体基板６０は、検出器群５０から出力された検出結果に基づいて、各ユニットを制御する。
【００１７】
搬送ユニット２０は、媒体（例えば紙Ｓなど）を所定方向（以下、搬送方向という）に搬送させるためのものである。この搬送ユニットは、給紙ローラ２１と、搬送モータ２２（ＰＦモータとも言う）と、搬送ローラ２３と、プラテン２４と、排紙ローラ２５とを有する。給紙ローラ２１は、紙挿入口に挿入された紙Ｓをプリンタ内に給紙するためのローラである。搬送ローラ２３は、給紙ローラ２１によって給紙された紙Ｓを印刷可能な領域まで搬送するローラであり、搬送モータ２２によって駆動される。プラテン２４は、印刷中の紙Ｓを支持する。排紙ローラ２５は、紙Ｓをプリンタの外部に排出するローラであり、印刷可能な領域に対して搬送方向下流側に設けられている。
【００１８】
キャリッジユニット３０は、ヘッドを所定の方向（以下、移動方向という）に移動（「走査」とも呼ばれる）させるためのものである。キャリッジユニット３０は、キャリッジ３１と、キャリッジモータ３２（ＣＲモータとも言う）とを有する。キャリッジ３１は、移動方向に往復移動可能であり、キャリッジモータ３２によって駆動される。また、キャリッジ３１は、インクを収容するインクカートリッジを着脱可能に保持している。
【００１９】
ヘッドユニット４０は、紙Ｓにインクを吐出するためのものである。ヘッドユニット４０は、インクを吐出する複数のノズルが形成されたヘッド４１を備える。このヘッド４１はキャリッジ３１に設けられているため、キャリッジ３１が移動方向に移動すると、ヘッド４１も移動方向に移動する。そして、ヘッド４１が移動方向に移動中にノズルからインクを断続的に吐出することによって、移動方向に沿ったドットライン（ラスタライン）が紙に形成される。
【００２０】
更に、ヘッドユニット４０は駆動信号生成部４２を備えている。駆動信号生成部４２は、デジタルデータに基づいて、ヘッド４１の各ノズルに設けられているピエゾ素子（後述）を動作させるための駆動信号ＣＯＭを生成する。図１に示すように駆動信号生成部４２は、基準信号生成部４３、遅延部４４、増幅部４５を有している。基準信号生成部４３は、ＣＰＵ６２からのデジタルデータに基づいて所定波形を示す基準信号を生成する。遅延部４４は、基準信号の伝送を遅延させる。増幅部４５は、基準信号を増幅（電圧増幅及び電流増幅）することで駆動信号ＣＯＭを生成する。なお、第１実施形態の駆動信号生成部４２は、生成する駆動信号ＣＯＭの波形の大きさと位相を、ノズル毎に調整している。駆動信号生成部４２の詳細については後述する。
【００２１】
検出器群５０には、リニア式エンコーダ５１、ロータリー式エンコーダ５２、紙検出センサ５３、および光学センサ５４等が含まれる。リニア式エンコーダ５１は、キャリッジ３１の移動方向の位置を検出する。ロータリー式エンコーダ５２は、搬送ローラ２３の回転量を検出する。紙検出センサ５３は、給紙中の紙の先端の位置を検出する。光学センサ５４は、キャリッジ３１に取付けられている発光部と受光部により、紙Ｓの有無を検出する。そして、光学センサ５４は、キャリッジ３１によって移動しながら紙Ｓの端部の位置を検出し、紙Ｓの幅を検出することができる。また、光学センサ５４は、状況に応じて、紙Ｓの先端（搬送方向下流側の端部であり、上端ともいう）・後端（搬送方向上流側の端部であり、下端ともいう）も検出できる。
【００２２】
本体基板６０は、プリンタ１の各ユニットの制御を行うための制御部である。なお、本体基板６０は、フレキシブルケーブル７０を介してヘッドユニット４０を制御している。本体基板６０は、インターフェース部６１と、ＣＰＵ６２と、メモリ６３と、ユニット制御回路６４とを有する。インターフェース部６１は、外部装置であるコンピュータ１１０と、プリンタ１との間でデータの送受信を行う。ＣＰＵ６２は、プリンタ全体の制御を行うための演算処理装置である。メモリ６３は、ＣＰＵ６２のプログラムを格納する領域や作業領域等を確保するためのものであり、ＲＡＭ、ＥＥＰＲＯＭ、ＲＯＭ等の記憶素子を有する。ＣＰＵ６２は、メモリ６３に格納されているプログラムに従って、ユニット制御回路６４を介して各ユニットを制御する。
【００２３】
＝＝＝ヘッド４１の構成＝＝＝
図３は、ヘッド４１の下面におけるノズルの配列の一例を示す説明図である。同図に示すヘッド４１の下面には、ブラックインクノズル列Ｋと、シアンインクノズル列Ｃと、マゼンタインクノズル列Ｍと、イエローインクノズル列Ｙが形成されている。各ノズル列は、各色のインクを吐出するための吐出口であるノズルを複数（本実施形態では９０個とする）備えている。
【００２４】
各ノズル群の複数のノズル（Ｎｚ）は、搬送方向に沿って、一定の間隔（ノズルピッチ：ｋ・Ｄ）でそれぞれ整列している。ここで、Ｄは、搬送方向における最小のドットピッチ（つまり、紙Ｓに形成されるドットの最高解像度での間隔）である。また、ｋは、１以上の整数である。例えば、ノズルピッチが９０ｄｐｉ（１／９０インチ）であって、搬送方向のドットピッチが７２０ｄｐｉ（１／７２０インチ）である場合、ｋ＝８である。
【００２５】
各ノズル群のノズルは、下流側のノズルほど小さい数の番号が付されている（♯１〜♯９０）。つまり、ノズル（♯１）は、ノズル（♯９０）よりも搬送方向の下流側に位置している。  
各ノズルには、それぞれピエゾ素子が設けられている。ピエゾ素子は、電荷を保持可能な容量性素子の一種であり、充放電に伴って変形する。このピエゾ素子の動作に応じてノズルからインク滴が吐出される。
【００２６】
図４は、ヘッド４１のあるノズルの構造を説明するための図である。図には、ノズルＮｚ、ピエゾ素子ＰＺＴ、インク供給路４０２、ノズル連通路４０４、及び、弾性板４０６が示されている。なお、ピエゾ素子はノズル毎に対応して設けられている。
【００２７】
インク供給路４０２には、不図示のインクタンクからインク又は透明な液体が供給される。そして、これらのインク等は、ノズル連通路４０４に供給される。ピエゾ素子ＰＺＴには、駆動信号ＣＯＭの電圧が印加される。この駆動信号ＣＯＭの波形に応じて、ピエゾ素子ＰＺＴが伸縮し、弾性板４０６を振動させる。そして、駆動信号ＣＯＭの振幅に対応する量のインク滴がノズルＮｚから吐出されるようになっている。つまり、このピエゾ素子ＰＺＴの伸縮が、対応するノズルＮｚからインク滴を吐出させるための動作に相当する。なお、駆動信号ＣＯＭの振幅を大きくすると、弾性板４０６の振動が大きくなる。よって、ノズルから吐出されるインクの量が多くなる。一方、駆動信号ＣＯＭの振幅を小さくすると、弾性板４０６の振動が小さくなる。よって、ノズルから吐出されるインクの量が少なくなる。
【００２８】
＝＝＝駆動信号生成部４２の構成＝＝＝
図５は、第１実施形態の駆動信号生成部４２の構成の一例を示すブロック図である。以下、図面を参照しつつ、駆動信号生成部４２の構成について説明する。なお、図５では、図３に示すヘッド４１のうちの、ある色のノズル列に対応する部分について示しており、図５のヘッド４１に示す各ピエゾ素子（＃１〜＃９０）は、そのノズル列の各ノズル（＃１〜＃９０）にそれぞれ対応している。  
前述したように、駆動信号生成部４２は、基準信号生成部４３、遅延部４４、増幅部４５を備えている。
【００２９】
＜基準信号生成部について＞
基準信号生成部４３は、デジタルアナログコンバータ（以下、Ｄ／Ａコンバータともいう）４３１を有している。Ｄ／Ａコンバータ４３１は、本体基板６０のＣＰＵ６２から取得した多ビットのデジタルデータを、所定波形のアナログ信号に変換する。具体的には、デジタルデータの値が大きいほど高い電圧となり、デジタルデータの値が小さいほど低い電圧となるアナログの信号に変換する。このようにして、基準信号生成部４３は、デジタルデータに基づいて、所定波形のアナログ信号（以下、基準信号ＣＯＭ′とする）を生成する。なお、デジタルデータは、例えばメモリ６３に格納されており、ＣＰＵ６２によって適宜読み出されて、基準信号生成部４３に送られる。
【００３０】
＜遅延部について＞
遅延部４４は、基準信号ＣＯＭ′の伝送を遅延させるディレイ回路４４１を、各ノズル（各ピエゾ素子）に対応してそれぞれ備えている。本実施形態では、ノズル列のノズル数が９０個であるので、遅延部４４は、９０個のディレイ回路４４１を備えている。また、各ディレイ回路４４１は、アナログ信号の伝送を遅延させるディレイライン（例えば同軸ケーブル）を有している。そして、各ディレイ回路４４１には、例えば伝送経路の長さを調整することによって、対応するノズルの特性に応じた遅延時間が設定されている。なお、遅延させる必要のないノズルの場合には、遅延時間をほぼゼロに等しくなるようにしている。そして、ノズル毎に、基準信号ＣＯＭ′の伝送を遅延させている。以下、図５に示すように、共通の基準信号ＣＯＭ′の入力に対して、各ディレイ回路４４１から出力される信号を、それぞれ基準信号ＣＯＭ（１）′、基準信号ＣＯＭ（２）′・・・・基準信号ＣＯＭ（９０）′とする。なお、各ディレイ回路４４１は、基準信号ＣＯＭ′の伝送を遅延させるのみであり、波形の形（パルス間隔や大きさ）は変化させないこととする。また、上述した以外の方法で基準信号ＣＯＭ′の伝送を遅延させるようにしてもよい。例えば、一端側から入力される電荷を、素子毎に転送し、その素子数分の転送回数に相当する遅延を持たせて、他端側から取り出すことのできるＣＣＤ（Charge Coupled Device）、ＢＢＤ（Bucket Brigade Device）のような遅延素子を用いてもよい。
【００３１】
＜増幅部について＞
図５に示すように増幅部４５は、スイッチ４５１、オペアンプ４５２、ゲイン調整部４５３、抵抗Ｒｉ、Ｒｊ、Ｒａ、Ｒｂ、Ｒｃ、Ｒｄの組み合わせをノズル毎（ピエゾ素子毎）にそれぞれ有している。本実施形態では、ノズル列のノズルの数が９０個であるので、増幅部４５は、この組み合わせを９０個有している。そして、増幅部４５は、遅延部４４の各ディレイ回路４４１から出力された基準信号ＣＯＭ（１）′〜基準信号ＣＯＭ（９０）′を、それぞれ増幅（電圧増幅及び電流増幅）して、駆動信号ＣＯＭ（１）〜駆動信号ＣＯＭ（９０）を生成する。なお、各オペアンプ４５２は、後述するように、それぞれ個別に増幅率を設定できるようになっている。
【００３２】
上述した組み合わせは、それぞれ同じ構成であるので、以下、そのうちの一つ（紙面上側）を用いて説明する。
【００３３】
スイッチ４５１は、ＣＰＵ６２からの制御信号（不図示）によって導通（オン）、非導通（オフ）が制御されている。スイッチ４５１が導通することにより、オペアンプ４５２によって駆動信号ＣＯＭ（１）が生成され、対応するピエゾ素子ＰＺＴに供給されることになる。
【００３４】
オペアンプ４５２の非反転入力端子（以下、＋端子ともいう）は、スイッチ４５１を介して、遅延部４４のディレイ回路４４１（紙面上側）と接続されている。これにより、スイッチ４５１が導通することによって、オペアンプ４５２の＋端子には、基準信号ＣＯＭ（１）′が入力される。また、オペアンプ４５２の反転入力端子（以下、−端子ともいう）は、抵抗Ｒｊを介して接地されるとともに、当該オペアンプ４５２の出力が帰還抵抗（直列接続された抵抗Ｒａ、抵抗Ｒｂ、抵抗Ｒｃ、抵抗Ｒｄ）を介して帰還される（負帰還）。
【００３５】
さらに、オペアンプ４５２の−端子は抵抗Ｒｉを介して＋端子と接続されている。この抵抗Ｒｉは、スイッチ４５１が非導通のとき、オペアンプ４５２の出力を一定にするための抵抗である。なお、抵抗Ｒｉには、スイッチ４５１が導通しているときに、オペアンプ４５２の＋端子の入力に、−端子側からの影響を与えないように、十分高い抵抗値のものが用いられている。もし仮に、抵抗Ｒｉが設けられていないとすると、スイッチ４５１が非導通のとき、オペアンプ４５２の＋端子の入力が不定になる。そして、オペアンプ４５２で、この不定の信号が増幅されることになるので、オペアンプ４５２の出力が安定しなくなる。これに対し、本実施形態では、抵抗Ｒｉを設けているので、スイッチ４５１が非導通の場合でも、＋端子に抵抗Ｒｉを介して−端子と同じ電圧が印加されることになる。よって、オペアンプ４５２の出力を一定にすることができる。
【００３６】
抵抗Ｒａ、抵抗Ｒｂ、抵抗Ｒｃ、抵抗Ｒｄは、オペアンプ４５２の帰還抵抗を構成しており、この順でオペアンプ４５２の−端子と当該オペアンプ４５２の出力との間に直列に接続されている。また、抵抗Ｒａと抵抗Ｒｂの接続点は、後述するゲイン調整部４５３の接点ａと接続されており、抵抗Ｒｂと抵抗Ｒｃの接続点は、ゲイン調整部４５３の接点ｂと接続されている。また、抵抗Ｒｃと抵抗Ｒｄの接続点は、ゲイン調整部４５３の接点ｃと接続されている。
【００３７】
ゲイン調整部４５３は、オペアンプ４５２の増幅率（ゲイン）を設定するものであり、スイッチＳＷ（切替スイッチに相当する）を有する。スイッチＳＷの一方はオペアンプ４５２の出力と接続されている。このスイッチＳＷの他方側の接続を切り替えることによって増幅率が設定される。なお、本実施形態のゲイン調整部４５３は、例えばメモリ６３のレジスタ（記憶部に相当する）から読み出される２ビットデータ（デジタルデータに相当する）に基づいて、オペアンプ４５２毎（すなわちノズル毎）に、スイッチＳＷの他方側の接続を切り替える。このデータは２ビットずつノズルごとに用意されたレジスタ（図示せず）にシリアル転送され格納される。例えば、あるノズルに対して、２ビットデータが（０、０）の場合には、スイッチＳＷを接点ａに接続し、２ビットデータが（０、１）の場合には接点ｂに接続する。また、２ビットデータが（１、０）の場合には、スイッチＳＷを接点ｃに接続し、２ビットデータが（１、１）の場合には、帰還抵抗と独立した接点ｄに接続する。このように、ゲイン調整部４５３は、各ノズルに対応する２ビットデータの値によってスイッチＳＷの接続を切り替える。そして、このスイッチＳＷの切り替えによって、オペアンプ４５２の増幅率が設定されることになる（後述する）。上記レジスタには、各ノズルの吐出特性に応じて、このような２ビットデータがノズル毎（オペアンプ４５２毎）に格納されている。
【００３８】
そして、オペアンプ４５２は、スイッチ４５１が導通することにより、当該オペアンプ４５２の＋端子に入力される基準信号ＣＯＭ（１）′をゲイン調整部４５３によって定まる増幅率で増幅（電圧増幅及び電流増幅）して、駆動信号ＣＯＭ（１）を生成する。
【００３９】
＜オペアンプについて＞
本実施形態のオペアンプ４５２は、前述したように、電圧増幅と電流増幅を行っている。  
図６はオペアンプ４５２の構成の一例の説明図である。図６のオペアンプ４５２は、駆動信号生成制御回路４５４、Ｐチャンネル型ＭＯＳＦＥＴ（以下、ＰＭＯＳともいう）４５５、Ｎチャンネル型ＭＯＳＦＥＴ（以下、ＮＭＯＳともいう）４５６を有している。
【００４０】
駆動信号生成制御回路４５４の入力１は、オペアンプ４５２の＋端子に対応し、駆動信号生成制御回路４５４の入力２は、オペアンプ４５２の−端子に対応している。また、駆動信号生成制御回路４５４の出力３は、ＰＭＯＳ４５５のゲートと接続され、駆動信号生成制御回路４５４の出力４は、ＮＭＯＳ４５６のゲートと接続されている。  
ＰＭＯＳ４５５のソースは一定電圧（例えば４２ボルト）の電源ＶＨの供給線に接続されている。ＰＭＯＳ４５５のドレインは、ＮＭＯＳ４５６のドレインと接続され、この接続点がオペアンプ４５２の出力となっている。また、ＮＭＯＳ４５６のソースは接地（ＧＮＤ）されている。
【００４１】
このように、ＰＭＯＳ４５５とＮＭＯＳ４５６は、ソースが一定の電圧（ソース共通回路）となっている。ここで、ドレインが一定（ソースフォロワ回路）では、電圧増幅率がほぼ１であり、電流増幅しかできないのに対し、ソース共通回路では、電流増幅と電圧増幅を行うことができる。よって、ＰＭＯＳ４５５あるいはＮＭＯＳ４５６が動作することによって、入力信号の電圧増幅と電流増幅が行われることになる。  
ＰＭＯＳ４５５が動作すれば、オペアンプ４５２の出力が上昇する。一方、ＮＭＯＳ４５６が動作すれば、オペアンプ４５２の出力が下降する。オペアンプ４５２の出力は、図５の帰還抵抗を介して当該オペアンプ４５２の−端子（駆動信号生成制御回路４５４の入力２に対応）に帰還され、駆動信号生成制御回路４５４によってモニタされる。  
そして、駆動信号生成制御回路４５４は、入力１及び入力２の大きさに基づいて、オペアンプ４５２の出力が当該オペアンプ４５２の＋端子入力の増幅値となるように、ＰＭＯＳ４５５とＮＭＯＳ４５６の動作を制御する。このようにして、基準信号ＣＯＭ´が増幅されて駆動信号ＣＯＭが生成される。
【００４２】
なお、本実施形態では、基準信号ＣＯＭ′を増幅（電圧増幅、電流増幅）するのに上述したオペアンプ４５２を用いているが、電圧増幅および電流増幅を行うことができれば他の構成であってもよく、これには限定されない。
【００４３】
以上の構成により、駆動信号生成部４２は、まず、基準信号生成部４３のＤ／Ａコンバータ４３１によって、ＣＰＵ６２から取得したデジタルデータを、アナログの基準信号ＣＯＭ′に変換する。そして、この基準信号ＣＯＭ′を、遅延部４４のノズル毎に設けられたディレイ回路４４１によって適宜遅延させる（基準信号ＣＯＭ（１）′〜基準信号ＣＯＭ（９０）′）。そして、増幅部４５が、遅延部４４の各ディレイ回路４４１の出力を、各ノズルに対して設定された増幅率によってそれぞれ増幅し、駆動信号ＣＯＭ（１）〜駆動信号ＣＯＭ（９０）を生成する。  
各駆動信号ＣＯＭは、それぞれ対応するピエゾ素子ＰＺＴに印加される。各ピエゾ素子は駆動信号ＣＯＭの波形に応じた伸縮を行い、この動作に基づいて、対応するノズルからインク滴が吐出される。  
このように、本実施形態の駆動信号生成部４２では、ノズル毎に基準信号ＣＯＭ′の伝送時間や、増幅率を設定している。以下その設定について説明する。
【００４４】
＝＝＝ノズル毎の設定について＝＝＝
＜ノズルのばらつきについて＞
ヘッド４１には複数のノズルが形成されている。しかし、製造ばらつきなどにより各ノズルにおける液体の吐出特性が同一でない場合がある。  
図７は、ヘッド４１のノズルにばらつきがある場合の一例を説明するための図である。なお、図７の左側には、図３のヘッド４１の４つのノズル列のうちのあるノズル列を示しており、その各ノズルを白丸で示している。図７の右側は、各ノズルによって吐出されたインクによって紙Ｓに形成されるドットを黒丸で示している。
【００４５】
例えば、製造ばらつきによって、ノズル（＃１）からのインクの吐出方向が移動方向の反対側（紙面左側）に傾いている場合、あるいはノズル(＃１)からのインクの吐出速度が他のノズルからのインクの吐出速度よりも速い場合、図７に示すように、ノズル（＃１）によって形成されるドットの位置（インク滴の着弾位置）が、他のドットの位置よりも移動方向の反対側にΔＬずれる。なお、ヘッド４１でのノズル（＃１）の形成位置が移動方向の反対側にずれている場合も、上述した場合と同様に、ドットの位置が移動方向の反対側にずれる。
【００４６】
また、図７では、ノズル（＃９０）のサイズが他のノズルよりも小さくなっている。この場合、各ピエゾ素子を同じ駆動信号で動作させると、同図に示すように、紙Ｓに形成されるノズル（＃９０）に対応するドットの大きさが、他のノズルに対応するドットよりも小さくなってしまう。  
そこで、本実施形態では、各ノズルによって紙Ｓに形成されるドットの均一化を図っている。具体的には、共通の基準信号に対して、ノズル毎に遅延時間と増幅率を調整する。
【００４７】
＜遅延時間について＞
インクの着弾位置を揃えるため、遅延部４４でノズル毎にインクの吐出タイミングの調整を行う。例えば図７の場合、ノズル（＃１）に対応するディレイ回路４４１（図５の紙面上側）において、他のノズルに対応するディレイ回路４４１よりもΔＬに対応する時間（Δｔとする）長い遅延時間を設定する。なお、本実施形態では、説明の都合上、他のノズルに対応するディレイ回路４４１は基準信号ＣＯＭ′の伝送を遅延させないこととする（遅延時間がほぼゼロとする）。よって、ノズル（＃１）に対応するディレイ回路４４１は、基準信号ＣＯＭ′の伝送をΔｔ遅延させる。
【００４８】
図８は、遅延部４４のディレイ回路４４１による信号の遅延の説明図である。図８の横軸は時間を示し、縦軸は信号の大きさ（電圧）を示している。また、図８の実線は、基準信号ＣＯＭ′の波形を示し、点線は、遅延部４４から出力される基準信号ＣＯＭ（１）′の波形を示している。
【００４９】
図からわかるように、基準信号ＣＯＭ（１）′は、基準信号ＣＯＭ′と比べて、波形の変化するタイミングがすべてΔｔ遅れている。一方、他のノズルに対応するディレイ回路４４１から出力される信号（基準信号ＣＯＭ（２）′〜基準信号ＣＯＭ（９０）′）は基準信号ＣＯＭ′と同じ波形となる。よって、遅延部４４の各ディレイ回路４４１に共通の基準信号ＣＯＭ′が入力されるにもかかわらず、ノズル（＃１）に対応するディレイ回路４４１の出力だけが、他のノズルに対応するディレイ回路４４１の出力よりもΔｔ遅れることとなる。
【００５０】
これにより、ノズル（＃１）に対応するピエゾ素子の動作するタイミングが、他のピエゾ素子よりもΔｔ遅れる。すなわち、ノズル（＃１）からのインクの吐出タイミングが、他のノズルよりもΔｔ遅れる。つまり、図７においてノズル（＃１）によって形成されるドットの位置が移動方向側（紙面右側）にΔＬずれることとなり、各ノズルによって形成されるドットの位置を揃えるようにすることができる。
【００５１】
このように、本実施形態では、ノズル毎に対応してディレイ回路４４１（＃１）を設けているので、各ノズルからインク滴を吐出するタイミングをそれぞれ調整することができる。よって、各ノズルによるドットの形成位置（インク滴の着弾位置）を揃えるようにすることができる。
【００５２】
上述した実施形態では、１つのノズルの特性が異なる場合について説明したが、複数のノズルにおいてばらつきがある場合がある。例えば、ノズル列が搬送方向に対して平行になっていない場合がある。このような場合でも、同様に、各ディレイ回路４４１の遅延時間をそれぞれ調整することにより、各ノズルから吐出されるインク滴の着弾位置の均一化を図ることができる。また、各ノズルに対して共通の基準信号ＣＯＭ′を用いることができるので、ノズル毎に基準信号を生成する場合に比べて回路を簡素化することができる。  
また、ノズル列全体で平均的にずれることがあるが、このノズル列全体を大きめあるいは小さめのディレイにすることにより、他のノズル列とのずれをなくすことができる。
【００５３】
＜増幅率について＞
前述したように、増幅部４５の各オペアンプ４５２では、ゲイン調整部４５３のスイッチＳＷの切り替えに応じて増幅率を設定している。まず、この増幅率の設定について説明する。
【００５４】
オペアンプ４５２の出力と、−端子との間の抵抗（帰還抵抗）の抵抗値をＲｔとする。また、抵抗Ｒａ、抵抗Ｒｂ、抵抗Ｒｃ、抵抗Ｒｄの抵抗値をそれぞれＲａ、Ｒｂ、Ｒｃ、Ｒｄとする。この場合、ゲイン調整部４５３においてスイッチＳＷを接点ａに接続した場合の抵抗値Ｒｔは、
Ｒｔ＝Ｒａ
となる。また、スイッチＳＷを接点ｂに接続した場合の抵抗値Ｒｔは、
Ｒｔ＝Ｒａ＋Ｒｂ
となる。さらに、スイッチＳＷを接点ｃ、接点ｄに接続した場合の抵抗値Ｒｔは、それぞれ、
Ｒｔ＝Ｒａ＋Ｒｂ＋Ｒｃ
Ｒｔ＝Ｒａ＋Ｒｂ＋Ｒｃ＋Ｒｄ
となる。このように、ゲイン調整部４５３は、スイッチＳＷの切り替えに応じて帰還抵抗の抵抗値を変更する。
【００５５】
オペアンプ４５２は負帰還の非反転増幅回路であり、その増幅率は、周知のように、帰還抵抗の抵抗値（Ｒｔ）と、抵抗Ｒｊの抵抗値（Ｒｊとする）に応じて定まる。具体的には、オペアンプ４５２の増幅率は、（１＋Ｒｔ／Ｒｊ）となる。  
ここで、例えばＲｊを１ｋΩとし、Ｒａを９ｋΩ、Ｒｂ、Ｒｃ、Ｒｄをそれぞれ１ｋΩとすると、ゲイン調整部４５３のスイッチＳＷを接点ａに接続した場合、オペアンプ４５２の増幅率は１０（＝１＋９／１）倍となる。また、スイッチＳＷを接点ｂ、接点ｃ、接点ｄに接続した場合の増幅率は、それぞれ１１倍、１２倍、１３倍となる。
【００５６】
図９は、オペアンプ４５２の増幅率の切り替えによる駆動信号ＣＯＭの変化の説明図である。図の横軸は時間を示し、縦軸は電圧の大きさを示している。図には、ある入力信号に対して、ゲイン調整部４５３のスイッチＳＷを接点ａ〜ｄにそれぞれ切り替えたときの駆動信号ＣＯＭの波形を、同一タイミングで変化するようにして示している。  
図からわかるように、スイッチＳＷの接続を接点ａ→ｂ→ｃ→ｄと切り替えるのに従って（オペアンプ４５２の増幅率が高くなるのに従って）、駆動信号ＣＯＭの波形の電圧が高くなっていく。よって、この順でピエゾ素子ＰＺＴの伸縮の動作が大きくなり、ノズルから吐出されるインクの量が増えることになる。
【００５７】
このように、帰還抵抗を構成する各抵抗の抵抗値の設定、及び、スイッチＳＷの切り替えに応じてオペアンプ４５２の増幅率を設定することができる。そして、これにより、生成する駆動信号ＣＯＭの大きさを容易に調整することができる。
【００５８】
例えば、図７では、ノズル（＃９０）からのインクの吐出量が、他のノズルよりも少なく、ノズル（＃９０）によって紙Ｓに形成されるドットが、他のドットに比べて小さくなっている。なお、図７のドットを形成した場合には、各ノズルに対応するオペアンプ４５２のゲイン調整部４５３のスイッチＳＷの接続が接点ｄであるとする。
【００５９】
このような場合、ノズル（＃９０）のインクの吐出量を増やすべく、ノズル（＃９０）に対応するオペアンプ４５２のゲイン調整部４５３のスイッチＳＷを、接点ｄよりもオペアンプ４５２の増幅率が大きくなる接点（例えば接点ａ）に接続するようにする。つまり、前述したレジスタに格納される２ビットデータを、他のノズルに対応する値（例えば（０、０））と異なる値（例えば（１、１））にする。こうすることにより、各オペアンプ４５２に入力される信号の大きさが同じであったとしても、ノズル（＃９０）に対応するオペアンプ４５２の出力だけをより増幅させることができ、ノズル（＃９０）からのインクの吐出量のみを多くすることができる。このように、ノズル毎に増幅率を設定することによって、各ノズルからのインクの吐出量を揃えるようにすることができ、紙Ｓに形成されるドットの大きさを揃えることができる。
【００６０】
このように、本実施形態では、増幅部４５の前述した組み合わせ（オペアンプ４５２など）をノズル毎に備えているので、ゲイン調整部４５３のスイッチＳＷの接続を切り替えることによって、各オペアンプ４５２の増幅率を、ノズルの吐出特性に応じた値に調整することができる。また、２ビットデータによってゲイン調整部４５３のスイッチＳＷの接続を切り替えているので、各ノズルに対応した増幅率に、正確に設定することができる。
【００６１】
なお、本実施形態では、ノズル毎にディレイ回路４４１とオペアンプ４５２を設け、ノズル毎に遅延時間と、増幅率を調整していたが、ノズル列毎にディレイ回路４４１とオペアンプ４５２を設け、ノズル列毎に遅延時間と、増幅率を調整してもよい。こうすることにより、各ノズル列のインクの吐出特性にばらつきがある場合でも、各ノズル列の吐出特性の均一化を図ることができる。
【００６２】
また、複数のヘッドが備えられている場合に同様にして、ヘッド毎に遅延時間と、増幅率を調整してもよい。こうすることにより、各ヘッドのインクの吐出特性にばらつきがあっても、各ヘッドの吐出特性の均一化を図ることができる。
【００６３】
ただし、これらの場合、各オペアンプ４５２に接続されるピエゾ素子の数が多くなるので、オペアンプ４５２のみでは、各ピエゾ素子に供給するのに十分な電流増幅を行えない可能性がある。よって、各オペアンプ４５２の後段に電流増幅回路（例えばプッシュプルソースフォロワに接続されたＮＭＯＳとＰＭＯＳ）を別途設けることが望ましい。なお、これらの場合は、ピエゾ素子ＰＺＴの直前にノズル選択のスイッチを設ける。
【００６４】
また、本実施形態では、駆動信号生成部４２（基準信号生成部４３、遅延部４４、増幅部４５）をヘッドユニット４０側に設けていたが、例えば、基準信号生成部４３を本体基板６０側に設け、本体基板６０において基準信号ＣＯＭ′を生成してもよい。そして、フレキシブルケーブル７０を介して、基準信号ＣＯＭ′をヘッドユニット４０側の遅延部４４に伝送するようにしてもよい。こうすることにより、フレキシブルケーブル７０を通るのが多ビットのデジタルデータではなく、アナログ信号（基準信号ＣＯＭ′）となるので、ケーブルの芯数を少なくすることができる。
【００６５】
＝＝＝第２実施形態＝＝＝
第１実施形態では、増幅部４５において、ゲイン調整部４５３のスイッチＳＷの接続を切り替えることによって、オペアンプ４５２の増幅率を変更していた。第２実施形態では、スイッチＳＷによる切り替えを行わずに、オペアンプ４５２の増幅率を変更する場合について説明する。
【００６６】
図１０は、第２実施形態のプリンタの全体構成を説明するブロック図である。また、図１１は、第２実施形態の駆動信号生成部４２′の構成の一例を示すブロック図である。なお、図１０及び図１１において、図１及び図５と同一構成の部分には同一符号を付し、説明を省略する。
【００６７】
第２実施形態の駆動信号生成部４２′は、図１０、図１１に示すように増幅部４５′を備えている。  
増幅部４５′は、スイッチ４５１、オペアンプ４５２、ゲイン調整部４５３′、抵抗Ｒｉ、Ｒｊ、Ｒａ、Ｒｂ、Ｒｃ、Ｒｄの組み合わせをノズル毎（ピエゾ素子毎）にそれぞれ有している。  
ゲイン調整部４５３′は、オペアンプ４５２の増幅率を設定するものであり、ヒューズＦ１、Ｆ２、Ｆ３、スイッチＳ１、Ｓ２、Ｓ３を有している。  
ヒューズＦ１、Ｆ２、Ｆ３の一端は、オペアンプ４５２の出力と接続されている。ヒューズＦ１の他端は、抵抗Ｒａと抵抗Ｒｂの接続点に接続されるとともに、スイッチＳ１を介して接地されている。また、ヒューズＦ２の他端は、抵抗Ｒｂと抵抗Ｒｃの接続点に接続されるとともに、スイッチＳ２を介して接地されている、また、ヒューズＦ３の他端は、抵抗Ｒｃと抵抗Ｒｄの接続点に接続されるとともに、スイッチＳ３を介して接地されている。
【００６８】
以上の構成により、例えばスイッチＳ１を導通させた状態で、オペアンプ４５２の出力を上昇させると、ヒューズＦ１を切断することができる。また、スイッチＳ２を導通させた状態で、オペアンプ４５２の出力を上昇させるとヒューズＦ２を切断することができる。また、スイッチＳ３を導通させた状態で、オペアンプ４５２の出力を上昇させると、ヒューズＦ３を切断することができる。
【００６９】
以下、第１実施形態と同様に、Ｒｊを１ｋΩとし、Ｒａを９ｋΩ、Ｒｂ、Ｒｃ、Ｒｄをそれぞれ１ｋΩとし、帰還抵抗の抵抗値をＲｔとする。  
ヒューズＦ１、Ｆ２、Ｆ３が全て未切断の場合（図１１の場合）には、
Ｒｔ＝Ｒａ＝９（ｋΩ）
となり、オペアンプ４５２の増幅率は、１０（＝１＋９／１）倍になる。  
ヒューズＦ１を切断すると、
Ｒｔ＝Ｒａ＋Ｒｂ＝１０（ｋΩ）
となり、オペアンプ４５２の増幅率は、１１（＝１＋１０／１）倍になる。  
さらに、ヒューズＦ２を切断（すなわちヒューズＦ１、Ｆ２を切断）すると、
Ｒｔ＝Ｒａ＋Ｒｂ＋Ｒｃ＝１１（ｋΩ）
となり、オペアンプ４５２の増幅率は、１２（＝１＋１１／１）倍になる。  
そして、ヒューズＦ１、Ｆ２、Ｆ３を全て切断すると、
Ｒｔ＝Ｒａ＋Ｒｂ＋Ｒｃ＋Ｒｄ＝１２（ｋΩ）
となり、オペアンプ４５２の増幅率は、１３（＝１＋１２／１）倍になる。  
このように、ヒューズＦ１、Ｆ２、Ｆ３の切断に応じて、オペアンプ４５２の増幅率を調整することができる。各ヒューズの切断は、それぞれ対応するスイッチを導通させた状態で、オペアンプ４５２の出力を上昇させればよいので、正確、且つ、容易に行うことができる。
【００７０】
以上説明したように、第２実施形態の駆動信号生成部４２′では、ゲイン調整部４５３′のヒューズＦ１、Ｆ２、Ｆ３を適宜切断することに応じて、各オペアンプ４５２の増幅率をノズルの吐出特性に応じた値に調整することができる。  
なお、各ヒューズの切断は、例えば製品出荷の前に、各ノズルの吐出特性（吐出されるインク量）に応じて行うようにしておく。こうすることにより、以後、各ノズルの吐出量のばらつきを気にせず使用することができる。
【００７１】
＝＝＝第３実施形態＝＝＝
前述した実施形態では、基準信号ＣＯＭ′の伝送の遅延時間と増幅率をそれぞれノズル毎に調整していたが、第３実施形態では、基準信号ＣＯＭ′の増幅率のみをノズル毎に調整する。  
図１２は、第３実施形態のプリンタの全体構成を説明するブロック図である。なお、図１２において、図１と同一構成の部分には同一符号を付し、説明を省略する。第３実施形態の駆動信号生成部４２″は、基準信号生成部４３と増幅部４５を備えている。  
また、図１３は、駆動信号生成部４２″の構成の一例を示すブロック図である。図１３において、図５と同一構成の部分には同一符号を付し説明を省略する。
【００７２】
第１実施形態（図５）では増幅部４５の各オペアンプ４５２は、遅延部４４の各ディレイ回路４４１の出力を増幅していたが、第３実施形態（図１３）では、増幅部４５の各オペアンプ４５２は、基準信号生成部４３で生成された基準信号ＣＯＭ′を増幅する。つまり、各オペアンプ４５２から出力される駆動信号ＣＯＭの変化のタイミングが同じになる。
【００７３】
なお、第１実施形態や第２実施形態と同様に、第３実施形態においても、各オペアンプ４５２で増幅率を調整することができるので、駆動信号ＣＯＭの大きさをノズル毎に変えることができる。よって、各ノズルにおけるインクの吐出量の均一化を図ることができる。また、第３実施形態では、遅延部４４を設けていないので、他の実施形態よりも回路を簡素化させることができる。
【００７４】
＝＝＝その他の実施の形態＝＝＝
上記の実施形態は、主としてプリンタについて記載されているが、その中には、印刷装置、記録装置、液体の吐出装置、印刷方法、記録方法、液体の吐出方法、印刷システム、記録システム、コンピュータシステム、プログラム、プログラムを記憶した記憶媒体、表示画面、画面表示方法、印刷物の製造方法、等の開示が含まれていることは言うまでもない。
【００７５】
また、一実施形態としてのプリンタ等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００７６】
＜プリンタについて＞
前述の実施形態では、プリンタが説明されていたが、これに限られるものではない。例えば、カラーフィルタ製造装置、染色装置、微細加工装置、半導体製造装置、表面加工装置、三次元造形機、液体気化装置、有機ＥＬ製造装置（特に高分子ＥＬ製造装置）、ディスプレイ製造装置、成膜装置、ＤＮＡチップ製造装置などのインクジェット技術を応用した各種の記録装置に、本実施形態と同様の技術を適用しても良い。また、これらの方法や製造方法も応用範囲の範疇である。このような分野に本技術を適用しても、液体を対象物に向かって直接的に吐出（直描）することができるという特徴があるので、従来と比較して省材料、省工程、コストダウンを図ることができる。  
また、本実施形態と同様の技術をラインプリンタに適用しても良い。
【００７７】
＜インクについて＞
前述の実施形態は、プリンタの実施形態だったので、染料インク又は顔料インクをノズルから吐出していた。しかし、ノズルから吐出する液体は、このようなインクに限られるものではない。例えば、金属材料、有機材料（特に高分子材料）、磁性材料、導電性材料、配線材料、成膜材料、電子インク、加工液、遺伝子溶液などを含む液体（水も含む）をノズルから吐出しても良い。このような液体を対象物に向かって直接的に吐出すれば、省材料、省工程、コストダウンを図ることができる。
【００７８】
＜帰還抵抗について＞
本実施形態では帰還抵抗を構成する抵抗が４つであったが、複数であればよい。例えば２つでもよい。なお、抵抗の数を多くし、ゲイン調整部４５３の接点の数を多くするほど、オペアンプ４５２の増幅率の設定を多くすることができる。  
また、前述した実施形態では、オペアンプの帰還抵抗として４つの抵抗を直列接続していたが、オペアンプ４５２の出力と−端子との間の抵抗値を複数段階に切り替えることができる構成であれば、これ以外であってもよい。  
例えば、図５において、抵抗Ｒａ、抵抗Ｒｂ、抵抗Ｒｃ、抵抗Ｒｄの一端を全てオペアンプ４５２の−端子に接続し、抵抗Ｒａ、抵抗Ｒｂ、抵抗Ｒｃ、抵抗Ｒｄの他端をそれぞれ、接点ａ、接点ｂ、接点ｃ、接点ｄとしてもよい。そして、スイッチＳＷをこの接点のうちの何れかに接続するようにしてもよい。この場合、抵抗Ｒｊ、抵抗Ｒａ、抵抗Ｒｂ、抵抗Ｒｃ、抵抗Ｒｄの各抵抗値を、それぞれ１ｋΩ、９ｋΩ、１０ｋΩ、１１ｋΩ、１２ｋΩとすると、スイッチＳＷの接続の切り替えに応じて、第１実施形態と同じように増幅率を設定することができる。
【００７９】
＜増幅率の設定について＞
各ノズルの吐出特性の傾向が分かっているような場合、予め、ノズル毎に増幅率の異なるオペアンプを設けるようにしてもよい。例えば、図７のようにノズル列端のノズル（＃９０）からの吐出量が、他のノズルよりも少なくなる傾向がある場合、他のノズルに対応するオペアンプの増幅率よりも大きい増幅率のオペアンプを、ノズル（＃９０）に対して予め設けるようにしてもよい。
【図面の簡単な説明】
【００８０】
【図１】第１実施形態のプリンタの全体構成を説明するブロック図である。
【図２】図２Ａは、プリンタの全体構成の概略図である。図２Ｂは、プリンタの全体構成の横断面図である。
【図３】ノズルの配列の一例を示す説明図である。
【図４】ヘッドの構造を説明するための図である。
【図５】第１実施形態の駆動信号生成部の構成を示すブロック図である。
【図６】オペアンプの構成例の説明図である
【図７】ノズルにばらつきがある場合を説明するための図である。
【図８】ディレイ回路による信号の遅延の説明図である。
【図９】オペアンプの増幅率の切り替えによる駆動信号ＣＯＭの変化の説明図である。
【図１０】第２実施形態のプリンタの全体構成を説明するブロック図である。
【図１１】第２実施形態の駆動信号生成部の構成を示すブロック図である。
【図１２】第３実施形態のプリンタの全体構成を説明するブロック図である。
【図１３】第３実施形態の駆動信号生成部の構成を示すブロック図である。
【符号の説明】
【００８１】
１  プリンタ、２０  搬送ユニット、２１  給紙ローラ、
２２  搬送モータ（ＰＦモータ）、２３  搬送ローラ、２４  プラテン、
２５  排紙ローラ、３０  キャリッジユニット、３１  キャリッジ、
３２  キャリッジモータ（ＣＲモータ）、
４０  ヘッドユニット、４１  ヘッド、４２  駆動信号生成部、
４３  基準信号生成部、４４  遅延部、４５  増幅部
５０  検出器群、５１  リニア式エンコーダ、
５２  ロータリー式エンコーダ、５３  紙検出センサ、５４  光学センサ、
６０  本体基板、６１  インターフェース部、６２  ＣＰＵ、
６３  メモリ、６４  ユニット制御回路、７０  フレキシブルケーブル
４０２  インク供給路、４０４  ノズル連通路、４０６  弾性板、
４３１  Ｄ／Ａコンバータ、４４１  ディレイ回路、４５１  スイッチ、
４５２  オペアンプ、４５３  ゲイン調整部
【図１】
2009196120.tif 000003
【図２】
2009196120.tif 000004
【図３】
2009196120.tif 000005
【図４】
2009196120.tif 000006
【図５】
2009196120.tif 000007
【図６】
2009196120.tif 000008
【図７】
2009196120.tif 000009
【図８】
2009196120.tif 000010
【図９】
2009196120.tif 000011
【図１０】
2009196120.tif 000012
【図１１】
2009196120.tif 000013
【図１２】
2009196120.tif 000014
【図１３】
2009196120.tif 000015